(57)【要約】【課題】多色の光の組合せにより、使用者の趣向によって、多様な色が具現できる輸送手段の表示装置用照明装置を提供する。【解決手段】輸送手段の表示装置用照明装置は、回転軸２０を備える指針１０と、前記指針の下部に設けられ、その中央部に前記回転軸を挿入するための貫通孔が形成されたグラフィックプレート３０と、前記グラフィックプレートの下部に設けられ、前記グラフィックプレートに光を発生し、相違する色を備えるＬＥＤ部４０と、を含む。ＬＥＤ部４０は、赤色ＬＥＤチップ４０Ｒ、緑色ＬＥＤチップ４０Ｇ、及び青色ＬＥＤチップ４０Ｂから構成され、ケース７０の内側に固定されている。前記グラフィックプレート３０の背面には、前記指針１０を支持及び駆動するために、前記指針１０の回転軸２０と連結されたモータ６０が設けられている。照明効果を上昇させるために、追加的に反射部５０を設けることができる。【選択図】          図３
2007147621.tif 000002
【特許請求の範囲】
【請求項１】
回転軸を備える指針と、
前記指針の下部に設けられ、その中央部に前記回転軸を挿入するための貫通孔が形成されたグラフィックプレートと、
前記グラフィックプレートの下部に設けられ、前記グラフィックプレートに光を発生し、相違する色を備えるＬＥＤ部と、
を含むことを特徴とする輸送手段の表示装置用照明装置。
【請求項２】
前記ＬＥＤ部は、赤色ＬＥＤチップ、緑色ＬＥＤチップ、及び青色ＬＥＤチップのグループから選択される二色以上の組合せからなることを特徴とする請求項１に記載の輸送手段の表示装置用照明装置。
【請求項３】
前記ＬＥＤ部は、赤色ＬＥＤチップ、緑色ＬＥＤチップ、及び青色ＬＥＤチップのグループから選択される二つ以上の組合せからなる、少なくとも一つのＬＥＤユニットからなることを特徴とする請求項１に記載の輸送手段の表示装置用照明装置。
【請求項４】
前記ＬＥＤ部から発生する光を、前記グラフィックプレートに反射する反射部をさらに含むことを特徴とする請求項１〜３のいずれか一項に記載の輸送手段の表示装置用照明装置。
【発明の詳細な説明】
【技術分野】
【０００１】
本発明は、輸送手段の表示装置用照明装置に関し、特に、自動車、汽車、船舶、飛行機、及びオートバイなど、各種輸送手段に装着されるインテリアの照明表示機能を有する部品（例えば、計器板、オーディオ、その他の表示装置）に適用できる輸送手段の表示装置用照明装置に関する。
【背景技術】
【０００２】
各種の輸送手段の表示装置の中で、代表的に自動車のダッシュボード（ｄａｓｈｂｏａｒｄ）には、単調で、車種にかかわらず統一された色が適用されている。しかし、最近発光ダイオード（ＬＥＤ：Ｌｉｇｈｔ  Ｅｍｉｔｔｉｎｇ  Ｄｉｏｄｅ）の適用分野が照明用に拡大されると共に、自動車のランプ用で、その採用が増加している。よって、自動車ランプ市場は、重要なＬＥＤ市場の一つとされている。また、自動車内部のディスプレイユニットも、既存の単純情報表示機能を脱して、マルチ機能ディスプレイユニットに発展し続けている。
【０００３】
図１は、一般の照明装置により発光する自動車計器板を示す平面図である。
【０００４】
図１に示すように、グラフィックプレート３０上での指針１０の動作により、自動車の走行状態を運転者に知らせる自動車計器板において、照明光源として白熱ランプ、冷陰極管、電子発光板、またはＬＥＤなどを使用する直接照明方式が使用されている。ここで、参照符号７０は、外部ケースを示す。
【０００５】
しかし、前記の白熱ランプは、光の散布度が大きくて、照明性能が不均一で、寿命が短いという問題がある。そして、前記白熱ランプの代わりに冷陰極管または電子発光板は、白熱ランプより明るくて均一な照明が得られるが、白熱ランプやＬＥＤより大変高価で、白熱ランプと同じく、寿命が短いという問題がある。
【０００６】
したがって、従来には、自動車計器板などの照明光源として、半永久の寿命と高輝度有するＬＥＤを使用している。
【０００７】
図２は、従来技術に係る輸送手段の表示装置用照明装置を示す断面図であって、前記ＬＥＤを使用する照明装置を示している。
【０００８】
従来技術に係る輸送手段の表示装置用照明装置は、図２に図示すように、回転軸２０を備える指針１０と、前記指針１０の下部に設けられ、その中央部に前記回転軸う２０を挿入するための貫通孔が形成されたグラフィックプレート３０と、前記グラフィックプレート３０の下部に設けられるＬＥＤ４０と、前記ＬＥＤ４０から発生する光を前記グラフィックプレート３０に反射する反射部５０と、前記指針１０を支持及び駆動するために、前記グラフィックプレート３０の背面に設けられ、前記指針１０の回転軸２０と連結されるモータ６０と、を含む。
【０００９】
このような従来技術による照明装置は、ケース７０の内側に固定された前記ＬＥＤ４０から発生する光が、その上部のグラフィックプレート３０に直接照明されるように構成されている。このとき、前記ＬＥＤ４０は、単色からなっており、前記反射部５０は、前記ＬＥＤ４０から発生する光をグラフィックプレート３０に反射することにより、前記ＬＥＤ４０による照明効果をより増加させる。
【００１０】
しかし、前記の従来技術による輸送手段の表示装置用照明装置においては、照明光源である前記ＬＥＤ４０が単色からなるため、照明装置の色の具現が非常に単調で、使用者の趣向によって多様な色が具現できないという問題点がある。
【発明の開示】
【発明が解決しようとする課題】
【００１１】
本発明は、上述の問題点に鑑みてなされたものであり、その目的は、多色の光の組合せにより、使用者の趣向によって、多様な色の具現ができる輸送手段の表示装置用照明装置を提供することにある。
【課題を解決するための手段】
【００１２】
前記の目的を達成するための本発明に係る輸送手段の表示装置用照明装置は、回転軸を備える指針と、前記指針の下部に設けられ、その中央部に前記回転軸を挿入するための貫通孔が形成されたグラフィックプレートと、前記グラフィックプレートの下部に設けられ、前記グラフィックプレートに光を発生し、相違する色を備えるＬＥＤ部と、を含む 。
【００１３】
ここで、一実施形態では、前記ＬＥＤ部は、赤色ＬＥＤチップ、緑色ＬＥＤチップ、及び青色ＬＥＤチップのグループから選択される二色以上の組合せからなることを特徴とする。
【００１４】
また、一実施形態では、前記ＬＥＤ部は、赤色ＬＥＤチップ、緑色ＬＥＤチップ、及び青色ＬＥＤチップのグループから選択される二つ以上の組合せからなる、少なくとも一つのＬＥＤユニットからなることを特徴とする。
【００１５】
また、一実施形態では、前記ＬＥＤ部から発生する光を、前記グラフィックプレートに反射する反射部をさらに含むことを特徴とする。
【発明の効果】
【００１６】
本発明に係る輸送手段の表示装置用照明装置によれば、二色以上の相違する色を具現するＬＥＤを照明光源として使用することにより、一色による単色発光はもちろん、赤色、緑色、及び青色の光の混合により、白色を含めて任意の多様な色を、使用者の趣向によって具現できるという効果がある。
【発明を実施するための最良の形態】
【００１７】
以下、本発明の好ましい実施の形態を、添付図面に基づき詳細に説明する。
【００１８】
図３は、本発明の一実施の形態に係る輸送手段の表示装置用照明装置を示す断面図である。
【００１９】
本発明の一実施の形態に係る輸送手段の表示装置用照明装置は、図３に図示すように、回転軸２０を備える指針１０と、前記指針１０の下部に設けられ、その中央部に前記回転軸２０を挿入するための貫通孔が形成されたグラフィックプレート３０と、前記グラフィックプレート３０の下部に設けられ、前記グラフィックプレート３０に光を発生し、相違する色を備えるＬＥＤ部４０と、を含む。そして、前記グラフィックプレート３０の背面には、前記指針１０を支持及び駆動するために、前記指針１０の回転軸２０と連結されたモータ６０が設けられている。
【００２０】
ここで、本発明の一実施の形態に係る前記ＬＥＤ部４０は、従来技術による単色ＬＥＤとは異なって、赤色、緑色、青色など、多色ＬＥＤの組合せからなる。
【００２１】
図４ａ、図４ｂ及び図５ａ、図５ｂはそれぞれ、本発明の一実施の形態に係る輸送手段の表示装置用照明装置のＬＥＤ配列の一例を示す平面図である 。
【００２２】
本発明の一実施の形態に係る輸送手段の表示装置用照明装置に使用される照明光源である前記ＬＥＤ部４０は、図４ａに図示されたように、赤色ＬＥＤチップ４０Ｒ、緑色ＬＥＤチップ４０Ｇ、及び青色ＬＥＤチップ４０Ｂの組合せからなる少なくとも一つのＬＥＤユニットＵからなることができる。
【００２３】
また、前記ＬＥＤ部４０は、図４ｂに図示されたように、赤色ＬＥＤチップ４０Ｒ、緑色ＬＥＤチップ４０Ｇ、及び青色ＬＥＤチップ４０Ｂのグループから選択される二つの組合せのみからなる少なくとも一つのＬＥＤユニットＵからなることができる。
【００２４】
すなわち、前記ＬＥＤ部４０は、赤色ＬＥＤチップ４０Ｒ、緑色ＬＥＤチップ４０Ｇ、及び青色ＬＥＤチップ４０Ｂのグループから選択される二つ以上の組合せからなるＬＥＤユニットＵを一つだけ備えることも、多数備えることも可能である。
【００２５】
なお、前記ＬＥＤ部４０は、前述したようなＬＥＤユニットＵからなる他に、それぞれ相違する色を有するＬＥＤチップ単位からなることも可能である。すなわち、前記ＬＥＤ部４０は、赤色ＬＥＤチップ４０Ｒ、緑色ＬＥＤチップ４０Ｇ、及び青色ＬＥＤチップ４０Ｂのグループから選択される二色以上の組合せからなることができる。例えば、図５ａに図示されたように、赤色ＬＥＤチップ４０Ｒ、緑色ＬＥＤチップ４０Ｇ、及び青色ＬＥＤチップ４０Ｂが、それぞれ一つ以上組み合わせられてなることができる。
【００２６】
また、前記ＬＥＤ部４０は、図５ｂに図示されたように、赤色ＬＥＤチップ４０Ｒ、緑色ＬＥＤチップ４０Ｇ、及び青色ＬＥＤチップ４０Ｂのグループから選択される二色のみが、それぞれ一つ以上組み合わせられてなることもできる。
【００２７】
前述したように、本発明の実施の形態に係るＬＥＤ部４０は、赤色ＬＥＤチップ４０Ｒ、緑色ＬＥＤチップ４０Ｇ、及び青色ＬＥＤチップ４０Ｂのグループから選択される二色以上の組合せからなる、少なくとも一つのＬＥＤユニットＵからなるか、または、赤色ＬＥＤチップ４０Ｒ、緑色ＬＥＤチップ４０Ｇ、及び青色ＬＥＤチップ４０Ｂのグループから選択される二色以上の組合せからなることで、多色のＬＥＤを備えている。
【００２８】
ここで、前記のようなＬＥＤユニットＵまたはそれぞれのＬＥＤチップで構成される前記ＬＥＤ部４０は、赤色ＬＥＤチップ４０Ｒ、緑色ＬＥＤチップ４０Ｇ、及び青色ＬＥＤチップ４０Ｂの三原色のうち一色による単色発光も可能であるが、二色または三色の光の混合により、白色を含めて任意の多様な色相で発光することも可能である。
【００２９】
したがって、本発明によれば、ＬＥＤ部４０の発光色を必要によって変更して、使用者の趣向によって、輸送手段の表示装置用照明装置を多様な色で照明することが可能となる。
【００３０】
このような本発明の実施の形態に係る照明装置は、ケース７０の内側に固定された前記ＬＥＤ部４０から発生する光が、その上部のグラフィックプレート３０に直接的に照明されるように構成されている。ここで、照明効果を上昇させるために、追加的に反射部５０が含まれることができる。前記反射部５０は、前記ＬＥＤ部４０から発生した光をグラフィックプレート３０に反射することにより、前記ＬＥＤ部４０による照明効果をより上昇させる。
【００３１】
一方、前述したような本発明の実施の形態に係るＬＥＤ部４０を含む輸送手段の表示装置用照明装置は、前記図３に図示すように、ＬＥＤ部４０がグラフィックプレート３０の背面と向かい合うように設けられ、グラフィックプレート３０に直接的に光を発生する直接照明方式に適用できるが、前記ＬＥＤ部４０の装着位置などによって、前記の直接照明方式だけでなく、間接照明方式などに適用することもできる。
【００３２】
上述した本発明の好ましい実施の形態は、例示の目的のために開示されたものであり、本発明の属する技術の分野における通常の知識を有する者であれば、本発明の技術的思想を逸脱しない範囲内で、様々な置換、変形、及び変更を行うことが可能であり、このような置換、変更などは、特許請求の範囲に属するものである。
【図面の簡単な説明】
【００３３】
【図１】一般の照明装置により発光する自動車計器板を示す平面図である。
【図２】従来技術に係る輸送手段の表示装置用照明装置を示す断面図である。
【図３】本発明の一実施の形態に係る輸送手段の表示装置用照明装置を示す断面図である。
【図４ａ】本発明の一実施の形態に係る輸送手段の表示装置用照明装置のＬＥＤ配列の一例を示す平面図である 。
【図４ｂ】本発明の一実施の形態に係る輸送手段の表示装置用照明装置のＬＥＤ配列の一例を示す平面図である 。
【図５ａ】本発明の一実施の形態に係る輸送手段の表示装置用照明装置のＬＥＤ配列の一例を示す平面図である 。
【図５ｂ】本発明の一実施の形態に係る輸送手段の表示装置用照明装置のＬＥＤ配列の一例を示す平面図である 。
【符号の説明】
【００３４】
１０  指針
２０  回転軸
３０  グラフィックプレート
４０  ＬＥＤ部
４０Ｒ  赤色ＬＥＤチップ
４０Ｇ  緑色ＬＥＤチップ
４０Ｂ  青色ＬＥＤチップ
Ｕ  ＬＥＤユニット
５０  反射部
６０  モータ
７０  ケース
【図１】
2007147621.tif 000003
【図２】
2007147621.tif 000004
【図３】
2007147621.tif 000005
【図４ａ】
2007147621.tif 000006
【図４ｂ】
2007147621.tif 000007
【図５ａ】
2007147621.tif 000008
【図５ｂ】
2007147621.tif 000009